(57)【特許請求の範囲】
【請求項１】
洗浄液を噴射する噴射ノズルを有するノズル部と、二つの取付部を有する取付体として機能する車体又はバンパーに形成された開口を介して出し入れされるように前記ノズル部と一体となって所定の移動方向へ移動されるピストンと、該ピストンを前記所定の方向へ移動自在に支持するシリンダーと、前記シリンダーを保持すると共に前記取付体に取り付けられるブラケットとを備えた車輌用灯具の洗浄装置であって、
前記ブラケットに、シリンダーを保持する保持筒部と前記取付体の二つの取付部にそれぞれ取り付けられる二つの被取付部とを設け、
前記一方の被取付部に第１の被取付孔を形成し、
前記他方の被取付部に第２の被取付孔を形成し、
前記第１の被取付孔の中心と前記第２の被取付孔の中心との距離が同一とされ前記二つの被取付部の保持筒部に対する形成位置が同一とされると共に前記二つの被取付部に対する第１の被取付孔と第２の被取付孔の形成位置がそれぞれ異なる複数の種類の前記ブラケットを設け、
前記取付体に対する取付位置に応じた種類の前記ブラケットを用いるようにした
ことを特徴とする車輌用灯具の洗浄装置。
【請求項２】
前記二つの被取付部をそれぞれ前記第１の被取付孔と前記第２の被取付孔に挿通した取付ネジによって前記取付体の二つの取付部に取り付け、
前記被取付部を前記取付体の取付部に前記取付ネジによって取り付ける前の状態において、前記被取付部の少なくとも一方を前記取付部に保持するクリップを設けた
ことを特徴とする請求項１に記載の車輌用灯具の洗浄装置。
【請求項３】
前記取付体の取付部に係合部が設けられ、
前記ブラケットに、前記係合部にスライドすることにより係合されるスライド係合部を設けた
ことを特徴とする請求項１又は請求項２に記載の車輌用灯具の洗浄装置。
【請求項４】
前記被取付部の少なくとも一方に保持金具を取り付け、
前記保持金具に前記取付ネジが締結される取付螺孔を形成した
ことを特徴とする請求項１、請求項２又は請求項３に記載の車輌用灯具の洗浄装置。
【発明の詳細な説明】
【技術分野】
【０００１】
本発明は車輌用灯具の洗浄装置に関する。詳しくは、車体又はバンパーに対する取付位置に応じた複数の種類のブラケットを設けて製造コストの低減を図る技術分野に関する。
【背景技術】
【０００２】
車体又はバンパーに形成された開口から一部が出し入れされるように移動され、車輌用前照灯の前面カバーを洗浄する洗浄装置がある。
【０００３】
洗浄装置には、前端側に設けられ洗浄液を噴射する噴射ノズルを有するノズル部と該ノズル部が連結されたピストンと該ピストンを移動自在に支持するシリンダーと取付体として機能する車体又はバンパーに取り付けられるブラケットとを有するものがある。
【０００４】
このような洗浄装置にあっては、ブラケットが車体又はバンパーに取り付けられ、車体又はバンパーに形成された開口からノズル部及びピストンの一部が前方へ突出され噴射ノズルから洗浄液が噴射されて洗浄が行われ、開口から車体又はバンパーの内部にノズル部及びピストンが引き込まれて収納される（例えば、特許文献１参照）。
【０００５】
特許文献１に記載された洗浄装置は、ブラケットにそれぞれ被取付孔を有する二つの被取付部が設けられ、車体又はバンパーに形成された二つの取付部の各取付孔に、ブラケットの被取付孔にそれぞれ挿通された取付ネジが螺合されることにより車体又はバンパーに取り付けられる。
【０００６】
【特許文献１】特開２００３−１８２５３６号公報
【発明の開示】
【発明が解決しようとする課題】
【０００７】
ところで、車輌には、同じ種類の車輌であっても、例えば、車高や車体・バンパーの形状・大きさ等が相違する各種のタイプが存在する。これらのタイプの相違する車輌においては、車体又はバンパーに形成された二つの取付孔の中心間の距離は同じとされているが、車体又はバンパーに対する洗浄装置の取付位置が相違するものがある。
【０００８】
ところが、車体又はバンパーに対する洗浄装置の取付位置の相違に対応して、二つの被取付部の形成位置が相違する洗浄装置をそれぞれ製造しようとすると、その分、洗浄装置の製造コストが高騰すると言う問題が生じてしまう。
【０００９】
そこで、本発明洗浄装置は、車体又はバンパーに対する取付位置が相違する場合において、製造コストの低減を図ることを課題とする。
【課題を解決するための手段】
【００１０】
車輌用灯具の洗浄装置は、上記した課題を解決するために、洗浄液を噴射する噴射ノズルを有するノズル部と、二つの取付部を有する取付体として機能する車体又はバンパーに形成された開口を介して出し入れされるように前記ノズル部と一体となって所定の移動方向へ移動されるピストンと、該ピストンを前記所定の方向へ移動自在に支持するシリンダーと、前記シリンダーを保持すると共に前記取付体に取り付けられるブラケットとを設け、前記ブラケットに、シリンダーを保持する保持筒部と前記取付体の二つの取付部にそれぞれ取り付けられる二つの被取付部とを設け、前記一方の被取付部に第１の被取付孔を形成し、前記他方の被取付部に第２の被取付孔を形成し、前記第１の被取付孔の中心と前記第２の被取付孔の中心との距離が同一とされ前記二つの被取付部の保持筒部に対する形成位置が同一とされると共に前記二つの被取付部に対する第１の被取付孔と第２の被取付孔の形成位置がそれぞれ異なる複数の種類の前記ブラケットを設け、前記取付体に対する取付位置に応じた種類の前記ブラケットを用いるようにしたものである。
【００１１】
従って、車輌用灯具の洗浄装置にあっては、保持筒部に対する形成位置が同一の二つの被取付部を有するブラケットが、取付ネジによって取付体の取付部にそれぞれ取り付けられる。
【発明の効果】
【００１２】
本発明車輌用灯具の洗浄装置は、洗浄液を噴射する噴射ノズルを有するノズル部と、二つの取付部を有する取付体として機能する車体又はバンパーに形成された開口を介して出し入れされるように前記ノズル部と一体となって所定の移動方向へ移動されるピストンと、該ピストンを前記所定の方向へ移動自在に支持するシリンダーと、前記シリンダーを保持すると共に前記取付体に取り付けられるブラケットとを備えた車輌用灯具の洗浄装置であって、前記ブラケットに、シリンダーを保持する保持筒部と前記取付体の二つの取付部にそれぞれ取り付けられる二つの被取付部とを設け、前記一方の被取付部に第１の被取付孔を形成し、前記他方の被取付部に第２の被取付孔を形成し、前記第１の被取付孔の中心と前記第２の被取付孔の中心との距離が同一とされ前記二つの被取付部の保持筒部に対する形成位置が同一とされると共に前記二つの被取付部に対する第１の被取付孔と第２の被取付孔の形成位置がそれぞれ異なる複数の種類の前記ブラケットを設け、前記取付体に対する取付位置に応じた種類の前記ブラケットを用いるようにしたことを特徴とする。
【００１３】
従って、洗浄装置の取付体に対する取付位置の相違に対応して保持筒部に対する第１の被取付部や第２の被取付部の形成位置が相違する洗浄装置をそれぞれ製造する必要がなく、洗浄装置の製造コストの削減を図ることができる。
【００１４】
請求項２に記載した発明にあっては、前記二つの被取付部をそれぞれ前記第１の被取付孔と前記第２の被取付孔に挿通した取付ネジによって前記取付体の二つの取付部に取り付け、前記被取付部を前記取付体の取付部に前記取付ネジによって取り付ける前の状態において、前記被取付部の少なくとも一方を前記取付部に保持するクリップを設けたので、洗浄装置の取付体に対する取付位置が取付前にずれてしまうことがなく、洗浄装置の取付作業における作業性の向上を図ることができる。
【００１５】
請求項３に記載した発明にあっては、前記取付体の取付部に係合部が設けられ、前記ブラケットに、前記係合部にスライドすることにより係合されるスライド係合部を設けたので、洗浄装置の取付体への組付が容易であり、取付作業における作業性の向上を図ることができる。
【００１６】
請求項４に記載した発明にあっては、前記被取付部の少なくとも一方に保持金具を取り付け、前記保持金具に前記取付ネジが締結される取付螺孔を形成したので、洗浄装置の取付体に対する取付強度の向上を図ることができる。
【発明を実施するための最良の形態】
【００１７】
以下に、本発明車輌用灯具の洗浄装置を実施するための最良の形態について添付図面を参照して説明する。
【００１８】
洗浄装置１は、図１に示すように、シリンダー２と該シリンダー２に摺動自在に支持されたピストン３と該ピストン３の前端部に連結されたノズル部４と該ノズル部４の前端部に連結されたホルダー５と該ホルダー５の前端部に連結されたノズルカバー６とを備えている。
【００１９】
シリンダー２は略円筒状に形成され、前端部に内方へ張り出された内フランジ部２ａを有している。
【００２０】
シリンダー２の後端部にはジョイント７が取り付けられている。ジョイント７はシリンダー２の後端部を閉塞するカバー部７ａと該カバー部７ａの後面に連続された連結管部７ｂとを有している。ジョイント７のカバー部７ａの内部にはバネ掛け部７ｃが設けられている。
【００２１】
ジョイント７がシリンダー２の後端部に取り付けられた状態においては、カバー部７ａの内部がピストン３の内部に連通される。
【００２２】
ジョイント７の連結管７ｂには図示しない洗浄液供給用チューブの一端部が連結され、該洗浄液供給用チューブの他端部は図示しない洗浄液用タンクに連結されている。従って、洗浄液は、洗浄液用タンクから洗浄液供給用チューブ及びジョイント７を介してピストン３の内部に供給される。
【００２３】
ピストン３は略円筒状に形成され、後端部に外方へ張り出された外フランジ部３ａが設けられている。ピストン３はシリンダー２に対する移動時に外フランジ部３ａがシリンダー２の内周面に摺動されると共に外周面がシリンダー２の内フランジ部２ａに摺動される。
【００２４】
ピストン３の前端部における内部にはバネ掛け突部３ｂが設けられている。ピストン３のバネ掛け突部３ｂとジョイント７のバネ掛け部７ｃとの間には引張コイルバネ８が支持されている。従って、引張コイルバネ８によってピストン３が後方へ付勢されている。
【００２５】
ノズル部４はピストン３の前端部に連結され、洗浄液を噴射する噴射ノズル４ａ、４ａを有している。ノズル部４の内部には図示しないチェックバルブが配置されている。チェックバルブはノズル部４の内部に供給される洗浄液の水圧の大きさに応じて開閉され、洗浄液の前方側への供給及びその停止を制御する機能を有する。
【００２６】
洗浄装置１はシリンダー２がブラケット９によって保持されている。ブラケット９は取付体１００として機能する車体やバンパーに取り付けられ、ブラケット９が取付体１００に取り付けられることにより洗浄装置１が車輌の内部に配置される。
【００２７】
上記のように構成された洗浄装置１は、車輌の内部に収納された収納状態において、引張コイルバネ８の付勢力によってピストン３が後方へ付勢されることにより、ノズルカバー６の外周部が取付体１００に形成された開口１００ａの外側の周縁に密着又は該開口１００ａを覆った状態とされる（図２参照）。
【００２８】
収納状態において、洗浄液用タンクから洗浄液供給用チューブ及びジョイント７を介してピストン３の内部に洗浄液が供給されると、洗浄液はピストン３の内部を経てノズル部４の内部に達する。このときチェックバルブが閉塞されているため、洗浄液はチェックバルブより前方へは流入しない。
【００２９】
洗浄液がノズル部４の内部に達すると、供給された洗浄液によって内圧が上昇して引張コイルバネ８が伸長されピストン３がシリンダー２から前方へ突出され、ピストン３の前方への移動に伴ってノズルカバー６、ホルダー５及びノズル部４が前方へ移動されていく（図３参照）。
【００３０】
ピストン３の外フランジ部３ａがシリンダー２の内フランジ部２ａに接すると、ピストン３等の前方への移動が停止される。ピストン３等の前方への移動が停止されると、さらに供給される洗浄液によって内圧がさらに上昇し、チェックバルブが開放されて洗浄液がチェックバルブより前方へ流入され、噴射ノズル４ａ、４ａから洗浄液が車輌用前照灯の前面カバー２００へ向けて噴射されて該前面カバー２００が洗浄される。
【００３１】
洗浄液用タンクからの洗浄液の供給が停止されると、内圧が低下してチェックバルブが閉塞され、噴射ノズル４ａ、４ａからの洗浄液の噴射が停止される。
【００３２】
さらに内圧が低下することにより引張コイルバネ８の付勢力によってピストン３、ノズルカバー６、ホルダー５及びノズル部４が後方へ移動されて再び収納状態とされる。
【００３３】
ブラケット９は、図２に示すように、シリンダー２を保持する保持筒部１０と、該保持筒部１０の前端部から前方へ突出されたケース部１１と、該ケース部１１の上端部から側方へ突出された第１の被取付部１２と、保持筒部１０の外周面から側方へ突出された突出部１３と、該突出部１３から下方へ突出された第２の被取付部１４とを有している。
【００３４】
保持筒部１０は前後方向に長い略円筒状に形成され、内部にシリンダー２を保持している。
【００３５】
ケース部１１は前後に開口された略角筒状に形成されている。ケース部１１の上面１１ａには左右に離隔して一対のスライド係合部１５、１５が設けられている。スライド係合部１５はケース部１１の上面１１ａから上方へ突出された基部１５ａと該基部１５ａの上端部から水平方向へ突出された被支持部１５ｂとから成る。
【００３６】
第１の被取付部１２は上面１２ａがケース部１１の上面１１ａと同一平面とされ、平板状に形成されている。第１の被取付部１２には上下に貫通された第１の被取付孔１２ｂが形成されている。
【００３７】
突出部１３は前後に長い平板状に形成され、突出部１３の側縁にはストッパー１３ａとして機能する後方を向く段差面が形成されている。
【００３８】
第２の被取付部１４は略左右方向を向く平板状に形成され、下方に開口され左右に貫通された第２の被取付孔１４ａを有している。第２の被取付部１４における第２の被取付孔１４ａの前後両側の部分の外面にはそれぞれ補強リブ１４ｂ、１４ｂが設けられている。
【００３９】
第２の被取付部１４には保持金具１６が取り付けられる。保持金具１６は断面形状で略Ｕ字状に形成されている。保持金具１６は左右で対向する一対の押さえ面部１７、１７を有し、該押さえ面部１７、１７が離接する方向（左右方向）へのバネ性を有する。一方の押さえ面部１７にはネジ挿通孔１７ａが形成され、他方の押さえ面部１７には取付螺孔１７ｂが形成されている。一方の押さえ面部１７の上端部にはそれぞれ前後へ突出された係合突部１７ｃ、１７ｃが設けられている。
【００４０】
保持金具１６は押さえ面部１７、１７が第２の被取付部１４を左右から挟持した状態で該第２の被取付部１４に取り付けられる。保持金具１６が第２の被取付面部１５に取り付けられた状態においては、係合突部１７ｃ、１７ｃの下縁が補強リブ１４ｂ、１４ｂの上縁に係合される。従って、保持金具１６の第２の被取付面部１４からの脱落が防止される。
【００４１】
保持金具１６が第２の被取付部１４に取り付けられた状態においては、ネジ挿通孔１７ａと取付螺孔１７ｂの間に、第２の被取付部１４に形成された第２の被取付孔１４ａが位置される。
【００４２】
第２の被取付部１４には保持金具１６によって挟持された部分の近傍に補強リブ１４ｂ、１４ｂが設けられているため、保持金具１６が第２の被取付部１４に取り付けられた状態における第２の被取付部１４の変形や破損等が防止される。
【００４３】
ブラケット９は、洗浄装置１の取付体１００に対する取付位置の相違に応じて３種類が設けられている。即ち、図４乃至図６に示すように、ブラケット９Ａ、９Ｂ、９Ｃが設けられている。
【００４４】
ブラケット９Ａ、９Ｂ、９Ｃは、第１の被取付部１２及び第２の被取付部１４の保持筒部１０に対する形成位置が同一とされ、第１の被取付孔１２ｂの中心と第２の被取付孔１４ａの中心との距離Ｌが同一とされているが、第１の被取付孔１２ｂの第１の被取付部１２に対する形成位置及び第２の被取付孔１４ａの第２の被取付部１４に対する形成位置が相違する。また、ブラケット９Ａ、９Ｂ、９Ｃは、洗浄装置１の取付体１００に対する取付位置に応じて、ストッパー１３ａの突出部１３に対する形成位置も相違する。
【００４５】
取付体１００として機能する車体又はバンパーには、上記したように、開口１００ａが形成されている（図２及び図３参照）。
【００４６】
取付体１００の下面側には互いに近付く方向へ突出された係合部１０１、１０２が設けられている（図７参照）。係合部１０１、１０２の上面側には横長の空間が形成され、該空間が配置用空間１００ｂとして形成されている。係合部１０１は洗浄装置１が取り付けられる取付部としても機能し、係合部１０１には上下に貫通された取付孔として形成された図示しない螺孔が形成されている。
【００４７】
取付体１００には下方へ突出された取付部１０３が設けられている。取付部１０３は略左右方向を向く平板状に形成され、略左右に貫通された図示しない取付孔を有している。
【００４８】
洗浄装置１はブラケット９（９Ａ、９Ｂ、９Ｃ）の第１の被取付部１２と第２の被取付部１４がそれぞれ取付部（係合部）１０１と取付部１０３にネジ止めによって以下のようにして取り付けられる（図７乃至図１０参照）。
【００４９】
洗浄装置１は、先ず、後方へスライドされることにより、ブラケット９のスライド係合部１５、１５がそれぞれ取付体１００の係合部１０１、１０２に係合され、取付体１００に支持される。このとき係合部１０１、１０２はスライド係合部１５、１５とケース部１１の間に挿入され、スライド係合部１５、１５の被支持部１５ｂ、１５ｂが配置用空間１００ｂに位置される。
【００５０】
洗浄装置１が後方へスライドされブラケット９の突出部１３に設けられたストッパー１３ａが取付体１００の取付部１０３の前端に接することにより、洗浄装置１の取付体１００に対する前後方向における位置決めが行われ、洗浄装置１の取付体１００に対する前後方向における取付位置が決定される。
【００５１】
このとき洗浄装置１の第１の被取付部１２は取付体１００の取付部（係合部）１０１に上下方向において当接又は近接して位置され、洗浄装置１の第２の被取付部１４は取付体１００の取付部１０３に左右方向において当接又は近接して位置される。
【００５２】
洗浄装置１の取付体１００に対する前後方向における位置決めが行われた状態においては、第１の被取付部１２の第１の被取付孔１２ｂの真上に取付部１０１の取付孔が位置され、第２の被取付部１４の第２の被取付孔１４ａの真横に取付部１０３の取付孔が位置される。
【００５３】
次いで、クリップ１８によって第１の被取付部１２が取付部１０１に保持される。クリップ１８は、挿入部材１９と該挿入部材１９が挿入されて結合される被挿入部材２０とから成る。
【００５４】
挿入部材１９は円板状の頭部１９ａと該頭部１９ａから上方へ突出された挿入突部１９ｂとから成り、該挿入突部１９ｂの外周面には外方へ突出された作用突起１９ｃ、１９ｃ、・・・が設けられている。
【００５５】
被挿入部材２０は円環状の押し当て部２０ａと該押し当て部２０ａの上側開口縁から上方へ突出された弾性変形部２０ｂ、２０ｂ、・・・とから成る。弾性変形部２０ｂ、２０ｂ、・・・の上端部は互いに近付く方向へ傾斜されている。
【００５６】
クリップ１８は挿入部材１９の挿入突部１９ｂが下方から被挿入部材２０の弾性変形部２０ｂ、２０ｂ、・・・の内側に挿入される。
【００５７】
クリップ１８は被挿入部材２０の押し当て部２０ａと挿入部材１９の頭部１９ａが上下で離隔した状態で挿入突部１９ｂと弾性変形部２０ｂ、２０ｂ、・・・が第１の被取付部１２の第１の被取付孔１２ｂ及び取付部１０１の取付孔に下方から挿入される。このとき被挿入部材２０の押し当て部２０ａが第１の被取付部１２に下方から押し当てられる。
【００５８】
上記のように挿入突部１９ｂと弾性変形部２０ｂ、２０ｂ、・・・が第１の被取付孔１２ｂ及び取付孔に挿入された状態において、挿入部材１９の頭部１９ａを下方から押圧すると、挿入部材１９が被挿入部材２０に対して上方へ移動され、弾性変形部２０ｂ、２０ｂ、・・・の上端部の内面に挿入部材１９の作用突起１９ｃ、１９ｃ、・・・が接触されて弾性変形部２０ｂ、２０ｂ、・・・が弾性変形されて押し広げられる（図７参照）。従って、クリップ１８は第１の被取付孔１２ｂ及び取付孔から下方へ脱落しないように変形され、クリップ１８によって第１の被取付部１２が取付部１０１に保持される。
【００５９】
次いで、第２の被取付部１４の第２の被取付孔１４ａ、保持金具１６のネジ挿通孔１７ａ、取付部１０３の取付孔に順に取付ネジ２１を挿入し該取付ネジ２１を保持金具１６の取付螺孔１７ｂに螺合する。
【００６０】
最後に、挿入部材１９を下方へ移動させて弾性変形部１９ｃ、１９ｃ、・・・を弾性復帰させてクリップ１８を第１の被取付部１２の第１の被取付孔１２ｂ及び取付部１０１の取付孔から取り外し、第１の被取付孔１２ｂに取付ネジ２２を挿入し該取付ネジ２２を取付部１０１の取付孔に螺合することにより、洗浄装置１を取付体１００に取り付ける。
【００６１】
尚、上記には、クリップ１８を第１の被取付部１２の第１の被取付孔１２ｂ及び取付部１０１の取付孔から取り外し取付ネジ２２を用いて第１の被取付部１２を取付部１０１に取り付ける例を示したが、必要とされる取付強度に応じ、取付ネジ２２を用いることなくクリップ１８を用いて第１の被取付部１２を取付部１０１に取り付けるようにすることも可能である。
【００６２】
洗浄装置１の取付体１００に対する取付位置は、例えば、車輌のタイプによって相違する。
【００６３】
従って、洗浄装置１にあっては、取付体１００に対して、例えば、前方寄りの第１の位置に取り付けられる洗浄装置１にブラケット９Ａを用い（図８参照）、第１の位置より後側の第２の位置に取り付けられる洗浄装置１にブラケット９Ｂを用い（図９参照）、第２の位置より後側の第３の位置に取り付けられる洗浄装置１にブラケット９Ｃを用いている（図１０参照）。
【００６４】
このように、保持筒部１０に対する第１の被取付部１２及び第２の被取付部１４の形成位置が同一とされ、第１の被取付孔１２ｂの中心と第２の被取付孔１４ａの中心との距離Ｌが同一とされたブラケット９Ａ、９Ｂ、９Ｃを用いることにより、洗浄装置１の取付体１００に対する取付位置の相違に対応して保持筒部１０に対する第１の被取付部や第２の被取付部の形成位置が相違する洗浄装置をそれぞれ製造する必要がなく、洗浄装置の製造コストの削減を図ることができる。
【００６５】
また、洗浄装置１にあっては、取付体１００に取付ネジ２２、２０によって取り付ける前の状態において、第１の被取付部１２を取付部１０１にクリップ１８によって保持するようにしているため、洗浄装置１の取付体１００に対する取付位置が取付ネジ２２、２０による取付前にずれてしまうことがなく、取付ネジ２２、２０による洗浄装置１の取付作業における作業性の向上を図ることができる。
【００６６】
尚、上記には、第１の被取付部１２を取付部１０１にクリップ１８によって保持する例を示したが、クリップ１８による保持は、取付部１０１に対する第１の被取付部１２に限られることはなく、第２の被取付部１４を取付部１０３にクリップ１８によって保持するようにしてもよく、また、第１の被取付部１２と第２の被取付部１４をそれぞれ取付部１０１、１０３にクリップ１８によって保持するようにしてもよい。
【００６７】
さらに、洗浄装置１にあっては、第２の被取付部１４に保持金具１６を取り付けて取付部１０３に取付ネジ２１によって第２の被取付部１４を固定しているため、洗浄装置１の取付体１００に対する取付強度の向上を図ることができる。
【００６８】
尚、上記には、第２の被取付部１４に保持金具１６を取り付けた例を示したが、保持金具１６の取付は第２の被取付部１４に限られることはなく、第１の被取付部１２に保持金具１６を取り付けてもよく、また、第１の被取付部１２と第２の被取付部１４に保持金具１６を取り付けてもよい。
【００６９】
加えて、洗浄装置１の取付体１００への取付に際し、ブラケット９のスライド係合部１５、１５を取付体１００の係合部１０１、１０２に係合するようにしているため、洗浄装置１の取付体１００への組付が容易であり、取付作業における作業性の向上を図ることができる。
【００７０】
上記には、ブラケット９として３種類のブラケット９Ａ、９Ｂ、９Ｃを設けた例を示したが、ブラケット９の種類は３種類に限られることはなく、取付体１００に対する取付位置に応じた種類のブラケット９を設ければよい。
【００７１】
上記した発明を実施するための最良の形態において示した各部の形状及び構造は、何れも本発明を実施するに際して行う具体化のほんの一例を示したものにすぎず、これらによって本発明の技術的範囲が限定的に解釈されることがあってはならないものである。
【図面の簡単な説明】
【００７２】
【図１】図２乃至図１０と共に本発明車輌用灯具の洗浄装置の最良の形態を示すものであり、本図は、洗浄装置の平面図である。
【図２】洗浄装置が収納されている状態を示す側面図である。
【図３】洗浄装置が前方へ突出されている状態を示す側面図である。
【図４】ブラケットを示す斜視図である。
【図５】別のブラケットを示す斜視図である。
【図６】また別のブラケットを示す斜視図である。
【図７】洗浄装置が取付体に取り付けられた状態を示す正面図である。
【図８】図５に示すブラケットを有する洗浄装置が取付体に取り付けられた状態を示す底面図である。
【図９】図６に示すブラケットを有する洗浄装置が取付体に取り付けられた状態を示す底面図である。
【図１０】図７に示すブラケットを有する洗浄装置が取付体に取り付けられた状態を示す底面図である。
【符号の説明】
【００７３】
１…洗浄装置、２…シリンダー、３…ピストン、４…ノズル部、４ａ…噴射ノズル、９…ブラケット、９Ａ…ブラケット、９Ｂ…ブラケット、９Ｃ…ブラケット、１２…第１の被取付部、１２ａ…第１の被取付孔、１４…第２の被取付部、１４ｂ…第２の被取付孔、１５…スライド係合部、１６…保持金具、１７ｂ…取付螺孔、１８…クリップ、１９…取付ネジ、２０…取付ネジ、１００…取付体、１００ａ…開口、１０１…係合部（取付部）、１０２…係合部、１０３…取付部
【図１】
0005035778.tif 000002
【図２】
0005035778.tif 000003
【図３】
0005035778.tif 000004
【図４】
0005035778.tif 000005
【図５】
0005035778.tif 000006
【図６】
0005035778.tif 000007
【図７】
0005035778.tif 000008
【図８】
0005035778.tif 000009
【図９】
0005035778.tif 000010
【図１０】
0005035778.tif 000011